(57)【要約】  本発明は、一つまたは複数の放送情報信号のマルチプレックスを、伝送媒体を介して放送伝送モードで伝送するためのＯＦＤＭに基づく送信機に関する。送信機は、放送情報信号のマルチプレックスを受信するための入力部と、放送情報信号のマルチプレックスのデータのブロックをエンコードして、データのエンコードされたブロックを生成するためのエンコーダユニットと、データのエンコードされたブロックを放送伝送信号のメディア放送サブフレーム内に記録するためのマルチプレクサユニットとを備える。本発明によると、送信機は、さらに、一つまたは複数の放送情報信号の第二のマルチプレックスを受信するように設定されている。エンコーダユニットは、さらに、放送情報信号の第二のマルチプレックスのデータのブロックをエンコードしかつデータの第二のエンコードされたブロックを生成するように設定されていて、マルチプレクサユニットは、さらに、放送伝送信号の同じメディア放送サブフレーム内のデータ第二のエンコードされたブロックを受信するように設定されている。
2021510474.tif 000002
【特許請求の範囲】
【請求項１】
放送情報信号のマルチプレックスを受信するための入力部と、放送情報信号の前記マルチプレックスのデータのブロックをエンコードしかつデータのエンコードされたブロックを生成するためのエンコーダユニットと、データの前記エンコードされたブロックを放送伝送信号のメディア放送サブフレーム内に記録するためのマルチプレクサユニットとを備え、一つまたは複数の放送情報信号のマルチプレックスを、伝送媒体を介して放送伝送モードで伝送するためのＯＦＤＭに基づく送信機において、前記送信機は、さらに、一つまたは複数の放送情報信号の第二のマルチプレックスを受信するように設定されていて、前記エンコーダユニットは、放送情報信号の前記第二のマルチプレックスのデータのブロックをエンコードしかつデータの第二のエンコードされたブロックを生成するように設定されていて、前記マルチプレクサユニットは、さらに、放送伝送信号の同じメディア放送サブフレーム内にデータの前記第二のエンコードされたブロックを記録するように設定されている、ＯＦＤＭに基づく送信機。
【請求項２】
放送伝送信号の前記マルチプレックスのデータのエンコードされた複数のブロックと、放送伝送信号の前記第二のマルチプレックスのデータのエンコードされた複数のブロックとは、それぞれ個別にデコード可能である、請求項１に記載のＯＦＤＭに基づく送信機。
【請求項３】
前記メディア放送サブフレームは、ＭＢＳＦＮサブフレームまたはｅＭＢＭＳサブフレームである、請求項１または２に記載のＯＦＤＭに基づく送信機。
【請求項４】
前記送信機は、制御信号を生成するための制御信号生成ユニットを備え、前記制御信号は、前記マルチプレックスおよび前記第二のマルチプレックスのデータの前記エンコードされた複数のブロックのサイズについての尺度および／または前記マルチプレックスのおよび前記第二のマルチプレックスの前記エンコードされた複数のブロックがメディア放送サブフレーム内のどこにあるのかを示す位置についての尺度である、請求項１から３のいずれか１項に記載のＯＦＤＭに基づく送信機。
【請求項５】
前記送信機は、一つまたは複数のメディア放送サブフレームを含むフレームを伝送するための送信機であり、前記制御信号は、フレーム内の全てのメディア放送サブフレーム内の前記マルチプレックスのデータおよび前記第二のマルチプレックスのデータの前記エンコードされた複数のブロックのサイズについての尺度および／または前記マルチプレックスおよび前記第二のマルチプレックスの前記エンコードされたブロックがフレーム内の全てのメディア放送サブフレーム内のどこに存在するのかを示す位置についての尺度であり、前記マルチプレクサユニットは、前記フレーム内に前記制御信号を格納するように設定されている、請求項４に記載のＯＦＤＭに基づく送信機。
【請求項６】
前記マルチプレクサユニットは、前記制御信号をフレームの好ましくは第一のメディア放送サブフレーム内に格納するように設定されている、請求項５に記載のＯＦＤＭに基づく送信機。
【請求項７】
前記マルチプレクサユニットは、前記制御信号を、伝送チャンネルの中心周波数の周囲のスペクトル的に隣接するリソースブロック内に格納するように設定されている、請求項５または６に記載のＯＦＤＭに基づく送信機。
【請求項８】
前記制御信号生成ユニットは、さらに、第二の制御信号を生成するように設定されていて、前記第二の制御信号は、フレーム内の前記制御信号の位置についての尺度であり、前記マルチプレクサユニットは、さらに、前記フレーム内に前記第二の制御信号を格納するように設定されている、請求項５から７のいずれか１項に記載のＯＦＤＭに基づく送信機。
【請求項９】
前記第二の制御信号は、前記制御信号が格納されているフレーム内のメディア放送サブフレームの位置についての尺度である、請求項８に記載のＯＦＤＭに基づく送信機。
【請求項１０】
前記マルチプレクサユニットは、システム情報ブロックメッセージ内に前記第二の制御信号を格納するように設定されている、請求項８または９に記載のＯＬＤＭに基づく送信機。
【請求項１１】
前記マルチプレクサユニットは、メディア放送サブフレームの非整数の数のリソースブロック内にマルチプレックスのデータのブロックを格納するように設定されている、請求項１から４のいずれか１項に記載のＯＬＤＭに基づく送信機。
【請求項１２】
前記送信機は、ＬＴＥ標準仕様と互換性があるか、またはｘＧ標準仕様と互換性があり、ｘは、４に等しいかまたはより大きい整数である、請求項１から１１のいずれか１項記載のＯＦＤＭに基づく送信機。
【請求項１３】
放送伝送信号を、放送受信モードで受信するためのＯＦＤＭに基づく受信機であって、前記放送伝送信号は、メディア放送サブフレームを含み、メディア放送サブフレームは、データのエンコードされたブロックを含み、前記エンコードされたブロックは、一つまたは複数の放送情報信号のマルチプレックスのデータのブロックをエンコードすることにより生成され、前記受信機は、前記放送伝送信号を受信するための入力部と、前記放送伝送信号から前記マルチプレックスのデータの前記エンコードされたブロックを抽出するためのデマルチプレクサユニットと、データの前記エンコードされたブロックをデコードして、一つまたは複数の放送情報信号の前記マルチプレックスのデータのブロックを得るためのデコーダユニットと、前記マルチプレックスから少なくとも一つの放送情報信号を出力するための出力部とを備えたＯＦＤＭに基づく受信機において、前記メディア放送サブフレームは、一つまたは複数の放送情報信号の第二のマルチプレックスのデータのエンコードされたブロックを含み、前記デマルチプレクサユニットは、さらに、放送伝送信号の前記第二のマルチプレックスのデータの前記エンコードされたブロックを抽出するように設定されていて、前記デコーダユニットは、さらに、前記第二のマルチプレックスのデータの前記エンコードされたブロックをデコードして、前記第二のマルチプレックスのデータのデコードされたブロックにするように設定されている、ＯＦＤＭに基づく受信機。
【請求項１４】
放送情報信号の前記マルチプレックスのデータの前記エンコードされた複数のブロックと、放送情報信号の前記第二のマルチプレックスのデータの前記エンコードされた複数のブロックとは、それぞれ個別にデコード可能である、請求項１３に記載のＯＦＤＭに基づく受信機。
【請求項１５】
前記メディア放送サブフレームは、ＭＢＳＦＮサブフレームまたはｅＭＢＭＳサブフレームであり、前記デマルチプレクサユニットは、前記ＭＢＳＦＮサブフレームまたはｅＭＢＭＳサブフレームから、前記マルチプレックスのデータおよび／または前記第二のマルチプレックスのデータの前記エンコードされたブロックを抽出するように設定されている、請求項１３または１４に記載のＯＦＤＭに基づく受信機。
【請求項１６】
前記放送伝送信号は、制御信号を含み、前記制御信号は、前記マルチプレックスおよび前記第二のマルチプレックスのデータの前記エンコードされた複数のブロックのサイズについての尺度および／または前記マルチプレックスおよび前記第二のマルチプレックスのデータの前記エンコードされた複数のブロックがメディア放送サブフレーム内のどこに含まれているかを示す位置についての尺度であり、前記デマルチプレクサユニットは、前記放送伝送信号から前記制御信号を抽出するように設定されていて、さらに前記デマルチプレクサユニットは、前記制御信号に応じてメディア放送サブフレームからマルチプレックスのデータのエンコードされたブロックを抽出するように設定されている、請求項１３から１５のいずれか１項に記載のＯＦＤＭに基づく受信機。
【請求項１７】
前記受信機は、一つまたは複数のメディア放送サブフレームを含むフレームを受信するように設定されていて、前記制御信号は、前記マルチプレックスおよび前記第二に述べたマルチプレックスのデータの前記エンコードされた複数のブロックのサイズについての尺度および／または前記マルチプレックスおよび前記第二に述べたマルチプレックスのデータの前記エンコードされた複数のブロックが、フレーム内のメディア放送サブフレーム内のどこに含まれているのかを示す位置についての尺度であり、前記デマルチプレクサユニットは、フレームから前記制御信号を抽出するように設定されている、請求項１６に記載のＯＦＤＭに基づく受信機。
【請求項１８】
前記制御信号は、フレームの第一のメディア放送サブフレーム内に記録されていて、さらに、前記デマルチプレクサユニットは、フレームの好ましくは第一のメディア放送サブフレームから前記制御信号を抽出するように設定されている、請求項１６または１７に記載のＯＦＤＭに基づく受信機。
【請求項１９】
前記デマルチプレクサユニットは、伝送チャンネルの中心周波数の周囲のスペクトル的に隣接するリソースブロックから、前記制御信号を抽出するように設定されている、請求項１６から１８のいずれか１項に記載のＯＦＤＭに基づく受信機。
【請求項２０】
前記デマルチプレクサユニットは、さらに、フレームから第二の制御信号を抽出するように設定されていて、前記第二の制御信号は、フレーム内の前記制御信号の位置についての尺度である、請求項１６から１９のいずれか１項に記載のＯＦＤＭに基づく受信機。
【請求項２１】
前記デマルチプレクサユニットは、前記第二の制御信号に応じてメディア放送サブフレームから前記制御信号を抽出するように設定されている、請求項２０に記載のＯＦＤＭに基づく受信機。
【請求項２２】
前記デマルチプレクサユニットは、システム情報ブロックメッセージから前記第二の制御信号を抽出するように設定されている、請求項２０または２１に記載のＯＦＤＭに基づく受信機。
【請求項２３】
前記デマルチプレクサユニットは、メディア放送サブフレームの非整数の数のリソースブロックからマルチプレックスのデータのエンコードされたブロックを抽出する、請求項１３から１６のいずれか１項に記載のＯＦＤＭに基づく受信機。
【請求項２４】
前記受信機は、ＬＴＥ標準仕様と互換性があるか、またはｘＧ標準と互換性があり、ｘは、４に等しいかまたはより大きい整数である、請求項１３から２３のいずれか１項記載のＯＦＤＭに基づく受信機。
【請求項２５】
メディア放送サブフレーム内に格納されている前記マルチプレックスのデータのエンコードされた複数のブロックは、それぞれ個別にアクセス可能であり、前記受信機は、前記メディア放送サブフレーム内に格納されているデータの前記エンコードされた複数のブロックの一つに個別にアクセスしかつ前記メディア放送サブフレームからデータの前記ブロックを導出するように設定されている、請求項１３から２４のいずれか１項記載のＯＦＤＭに基づく受信機。
【発明の詳細な説明】
【技術分野】
【０００１】
本発明は、請求項１の上位概念による、放送伝送モードで、一つまたは複数の放送情報信号のマルチプレックスを送信するための送信機に関する。
【背景技術】
【０００２】
この種の送信機は、米国特許出願公開第２０１３０１１４４９７号明細書から公知である。
【０００３】
本発明は、同様に、請求項１３の上位概念による、放送受信モードで、一つの放送伝送信号を受信するための受信機にも関する。この種の受信機も同様に、米国特許出願公開第２０１３０１１４４９７号明細書から公知である。
【発明の概要】
【発明が解決しようとする課題】
【０００４】
発明の説明
本発明の課題は、受信機と送信機との間での改善された放送伝送を実現することである。請求項１の上位概念による送信機は、第一の請求項の特徴部に定義されたように特徴付けられる。送信機の本発明による他の実施例は、従属請求項２〜１２に請求されている。受信機は、請求項１３〜２５により特徴付けられる。
【０００５】
本発明は、以下の発明思想に基づいている。
異なる受信可能範囲（つまり地方配信と全国配信）を有する放送番組を一つのマルチプレックスで配信する場合、供給境界域ではＳＦＮ（＝単一周波数ネットワーク）運転でこのマルチプレックスを放送することができないという問題が生じる。
【０００６】
理由は、隣接する送信機の隣接する供給領域内で放送される二つのマルチプレックスで、一つ（または複数）の番組が異なる場合、全体のマルチプレックスは、それぞれ隣接する供給領域では、ＳＦＮ運転で放送できない、というのも両方のマルチプレックスは、コンテンツが異なるために互いに妨害するためである。ＳＦＮは、同一の信号またはマルチプレックスでのみ機能する。この問題は、基本的にマルチプレックスに基づく番組配信の場合、つまりＤＶＢ−Ｔ／Ｔ２、ＤＡＢ／ＤＡＢ＋でも、さらにはＬＴＥもしくは考えられる将来的なｘＧシステム（ｘは４に等しいかまたはより大きな整数である）の一つの範囲内のＭＢＳＦＮ（またはｅＭＢＭＳ）も存在する。
【０００７】
しかしながら、ＬＴＥシステムまたはｘＧシステムでは（場合によってはＤＶＢおよび／またはＤＡＢでも）、ＭＢＳＦＮ（またはｅＭＢＭＳ）の現在のチャンネル構造の変更が可能であり、この変更がこの問題を明らかに低減し、それにより明らかにスペクトル効率のより良い放送配信に寄与している。
【０００８】
この説明された問題は、確かに、基本的にマルチプレックスを用いてデジタル放送を配信する場合に存在する。しかしながら、それは、たとえばＬＴＥ−ＭＢＳＦＮ（もしくはＬＴＥ−ｅＭＢＭＳ）またはｘＧ−ＭＢＳＦＮ（もしくはｘＧ−ｅＭＢＭＳ）を用いて、オーディオ／ビデオプログラム（「テレビ」）だけでなく、純粋なラジオ（ＤＡＢ−ｖｉａ−ＭＢＳＦＮ／ｅＭＢＭＳ）も、またはラジオ放送とテレビ放送との混合系を伝送する場合にも特に明らかになる。これについての理由は、個々のラジオ番組が、テレビよりも明らかに低いデータレートを有することにある（ラジオでは約１２８ｋｂｐｓであるが、それに対してテレビでは１．５〜４Ｍｂｐｓである）。
【０００９】
それにより、ＭＢＳＦＮ（またはｅＭＢＭＳ）チャンネルあたり、テレビ番組よりも明らかに多いラジオ番組を伝送することができ、それにより、空間的に隣接するマルチプレックスコンテンツが地域的番組に関して異なるような上記の状況が出現する蓋然性は高くなる。
【課題を解決するための手段】
【００１０】
上述の問題は、一つのＭＢＳＦＮ（またはｅＭＢＭＳ）チャンネルで、複数の明らかに分離可能なマルチプレックスを伝送することにより解決される。換言すると、一つまたは複数の放送情報信号の少なくとも二つの伝送されるべきマルチプレックスの各々について、メディア放送サブフレーム（たとえばＭＢＳＦＮサブフレームまたはｅＭＢＭＳサブフレーム）内で個別にエンコードされた複数のブロックが伝送されることにより、これらは受信機で受信される際に個別にアクセス可能で、かつまた個別にデコード可能である。明らかに分離可能または個別にデコード可能とは、マルチプレックスが、メディア放送サブフレーム（たとえばＭＢＳＦＮサブフレームまたはｅＭＢＭＳサブフレーム）の個別の物理リソースブロックまたは物理リソースブロックのグループに割り当てられることを意味する。このようなマルチプレックスが同一である場合、所属する物理リソースブロックまたはサブキャリアは、ＳＦＮモードで送ることができる。このようなマルチプレックスは、他のマルチプレックスにより妨害されない、というのもそのコンテンツは、他の物理リソースブロックもしくはサブキャリア上にあるためである。
【００１１】
本発明の実施例の更なる利点は、メディア放送サブフレーム（たとえばＭＢＳＦＮサブフレームまたはｅＭＢＭＳサブフレーム）からマルチプレックスのデータのエンコードされたブロックを個別に読み取りかつ個別にデコードすることができることにより、受信機での計算の手間が大幅に軽減され、そのためバッテリーエネルギーが節約されることにある。
【００１２】
今までのｅＭＢＭＳと比べて、メディア放送サブフレーム（たとえばＭＢＳＦＮサブフレームもしくはｅＭＢＭＳサブフレーム）またはメディア放送チャンネル（たとえばＭＢＳＦＮチャンネルもしくはｅＭＢＭＳチャンネル）を、時間的に並行して個別のマルチプレックスが伝送されるサブキャリアおよび／またはＰＲＢ（物理リソースブロック）のグループに区分することは、新規である。この方法は、今まで存在しておらず、それによりマルチプレックスは常に、放送伝送フレーム（たとえばＬＴＥフレームまたはｘＧフレーム）の少なくとも一つの完全なサブフレームを含んでいなければならなかった。
【００１３】
それにより、簡単な実現の利点が生じる。放送伝送変調（たとえばＬＴＥ−ＯＦＤＭ変調またはｘＧ変調）の今までの基本原理に関しては何も変わらない、というのも、たとえば、サブフレーム内のＯＦＤＭシンボルもしくはリソースエレメントの異なる長さまたはサブフレーム内の可変のサブキャリア距離を使用する必要がないためである。それにより、本発明の実施例の実現のために、使用されるＯＦＤＭ方法の変更は必要ない。
【００１４】
本発明の実施例の利点は、放送番組、特にラジオ番組のスペクトル効率のよい分配にある、それというのも、この場合に使用されるマルチプレックスはより小さく構成することができ、かつこの場合に比較的小さなマルチプレックスのいくつかをスペクトル効率のよいＳＦＮ運転に分配することができるためである（たとえば、全国の、広域番組用に）。これらのマルチプレックスは、いくつかの地方にだけ分配されるプログラムに悪い影響を及ぼさない、というのもこれらのマルチプレックスは分離されているためである。
【００１５】
ここで、またさらに、マルチプレックスについて言及しているところでは、マルチプレックスとは、一つだけの放送情報信号であるか、または一緒に処理されかつ伝送される複数の放送情報信号であると解釈すべきであることを言及する必要がある。放送情報信号は、ここでは、ビデオ／テレビ情報信号であるか、またはビデオ／テレビ情報信号とそれに所属するオーディオ情報信号であるか、またはオーディオ情報信号だけであるか、または他の情報を含む情報信号であると解釈すべきである。
【００１６】
さらに、特許請求の範囲で、第一に述べたマルチプレックスと第二のマルチプレックスとについて言及しているところでは、本発明の実施例は、もちろん三つまたはそれより多くのマルチプレックスを一つのメディア放送サブフレームで伝送する実施例を含むことを言及する必要がある。
【００１７】
本発明の実施例を、以下の図面の説明に基づいて詳細に説明する。
【図面の簡単な説明】
【００１８】
【図１】先行技術によるメディア放送サブフレーム（たとえばＭＢＳＦＮサブフレーム）を表す。
【図２】本発明によるメディア放送サブフレーム（たとえばＭＢＳＦＮサブフレーム）の第一の実施例を表す。
【図３】本発明によるメディア放送サブフレーム（たとえばＭＢＳＦＮサブフレーム）の第二の実施例を表す。
【図４】本発明によるメディア放送サブフレーム（たとえばＭＢＳＦＮサブフレーム）の第三の実施例を表す。
【図４Ａ】本発明によるメディア放送サブフレーム（たとえばＭＢＳＦＮサブフレーム）の第四の実施例を表す。
【図５】本発明によるメディア放送サブフレーム（たとえばＭＢＳＦＮサブフレーム）の第五の実施例を表す。
【図６】伝送ネットワークでの送信機と受信機の間でのシグナリング手順を示す。
【図７】ＬＴＥ／ｘＧ標準仕様において規定されているようなシステム情報ブロックＳＩＢ２およびＳＩＢ１３の構造を示す。
【図８】第一の制御信号の位置をシグナリングするための本発明により提案されたシステム情報ブロックＳＩＢｘの構造を示す。
【図９】送信機から受信機へのシステム情報ブロックＳＩＢｘの伝送によって拡張された図６のシグナリング手順を示す。
【図９Ａ】システム情報ブロックＳＩＢ１の内容を示す。
【図１０】本発明による送信機の一実施例を示す。
【図１１】本発明による受信機の一実施例を示す。
【発明を実施するための形態】
【００１９】
詳細な図面の説明
図１は、従来技術によるメディア放送サブフレーム１０２の実施例を示す。メディア放送サブフレームは、ＬＴＥフレーム内に含まれているような、またはｘＧフレーム内に含まれているようなＭＢＳＦＮサブフレームであってよく、ｘは、４以上の整数である（つまり、４Ｇフレーム、５Ｇフレーム、…）。
【００２０】
ＭＢＳＦＮは、「ＭＢＭＳ単一周波数ネットワーク」を表し、ＭＢＭＳは、「マルチメディアブロードキャストマルチキャストサービス」を意味する。
【００２１】
ＭＢＳＦＮサブフレームは、ＬＴＥ（ロングタームエボリューション）において、ｅＭＢＭＳサブフレーム（進化したマルチメディアブロードキャストマルチキャストサービス）とも言われる。
【００２２】
図１は、１．４ＭＨｚのチャンネル帯域幅の場合のメディア放送サブフレームを示す。現在のＬＴＥ／５Ｇ標準によると、図１に示すように、一つのＭＢＳＦＮ（またはｅＭＢＭＳ）チャンネル内に、ＭＢＳＦＮ（またはｅＭＢＭＳ）サブフレームを表すＰＭＣＨ（物理マルチキャストチャンネル）を介して、一つだけのマルチプレックスが伝送される。
【００２３】
ＬＴＥフレームは、ＬＴＥ／３ＧＰＰ標準仕様において詳細に説明および定義されている。この実施例では、ＬＴＥフレームは、それぞれ二つのスロットからなる１０のサブフレームを含む。水平方向には時間が示され、垂直方向には、ＯＦＤＭ周波数キャリアの周波数値についての周波数が示されている。図１から明らかなように、フレームのフレーム期間は、１０ｍｓである。垂直方向では、周波数領域は、６つの部分領域に分けられている。それにより、各スロット内に、符号１００で示さるような六つのいわゆるリソースブロックが含まれている。
【００２４】
現在のＬＴＥフレーム内には、一つだけのＭＢＳＦＮ（またはｅＭＢＭＳ）サブフレームが含まれている。しかしながら、複数のＭＢＳＦＮサブフレームが、ＬＴＥフレーム内に含まれていてよい。連続するフレームは、同様に一つまたは複数のＭＢＳＦＮサブフレームを含み、それによりそれぞれ一つまたは複数の放送情報信号の一つまたは複数のマルチプレックスを伝送することができるＭＢＳＦＮチャンネルを形成する。放送情報信号とは、デジタルテレビ信号（つまり、ビデオおよび／またはオーディオ情報信号）またはデジタルラジオ信号であると考えられる。
【００２５】
これらのＭＢＳＦＮサブフレームは、ＭＢＳＦＮ放送伝送モードで動作する送信機により生成される。ＬＴＥフレーム内の、ＭＢＳＦＮ伝送のために使用されない他のサブフレームは、ユニキャスト伝送のために利用され、したがって、送信機がユニキャスト伝送モードで動作する場合に、送信機により生成される。
【００２６】
たとえば、それぞれ一つまたは複数の放送情報信号の三つのマルチプレックスを、ＭＢＳＦＮチャンネル（ＭＢＳＦＮフレーム）で伝送すべき場合、先行技術による送信機内で、三つのマルチプレックスのデータの複数のブロックが一緒に符号化されて、三つのマルチプレックスのデータの一つのエンコードされたブロックが得られる。データのエンコードされたブロックは、ＭＢＳＦＮサブフレーム１０２内に格納され、その後で伝送される。受信の際には、三つのマルチプレックスの一つのデータを得るために、全体のＭＢＳＦＮサブフレームを読み取り、全体をデコードしなければならない。
【００２７】
本発明によると、三つのマルチプレックスのデータの複数のブロックを、データのエンコードされる複数のブロックに個別にエンコードし、かつ一つのＭＢＳＦＮサブフレームに格納することが提案され、このようにデータのこれらのブロックは、受信の際に個別にアクセス可能であり、かつまた放送伝送信号から個別に導出可能であり、かつ個別にデコード可能である。このことが、図２に示されている。それにより、一つのサブフレーム内で、時間的に複数の比較的狭いＭＢＳＦＮチャンネルが伝送される。これらのＭＢＳＦＮチャンネルは、ＬＴＥのチャンネルモデルで、個別の物理マルチキャストチャンネルＰＭＣＨに対応することになる。図２に示されたＭＢＳＦＮサブフレーム内には、データ２０２（ＭＣＨ１）、２０４（ＭＣＨ２）および２０６（ＭＣＨ３）の三つのエンコードされた複数のブロックが格納されている。
【００２８】
受信の際には、受信機のユーザが、第一のマルチプレックス（この第一のマルチプレックスは、連続するＭＢＳＦＮサブフレーム内にエンコードされた複数のブロックＭＣＨ１で伝送される）から放送情報信号を受信したいと仮定すると、受信機はＭＢＳＦＮサブフレームから複数のブロックＭＣＨ１を読み取る必要があるだけである。これらの複数のブロックは、個別にデコード可能なデータを含むので、第一のマルチプレックスを受信し、かつこの第一のマルチプレックスから放送情報信号の一つを導出するためにデコードすることができ、その結果、（テレビ信号の場合には）視聴することができ、（ラジオ信号の場合には）聴取することができる。
【００２９】
この場合の利点は、ＭＢＳＦＮサブフレームから個別にマルチプレックスの一つだけのエンコードされたブロックを読み取り、デコードすることができることにより、受信機内での計算の手間が大幅に軽減されるので、受信機内のバッテリーエネルギーが節約されることにある。
【００３０】
図２から明らかなように、ＭＢＳＦＮフレーム２０２内に記録されている放送情報信号の三つのマルチプレックスのデータのエンコードされた複数のブロックは、リソースブロック１００の整数倍の大きさであり、つまり４つまたは６つまたは２つのリソースブロックである。これは、ＬＴＥチャンネルが、たとえば５ＭＨｚまたは２０ＭＨｚの幅である場合、より多くてもよい。
【００３１】
あるいは、一つのＭＢＳＦＮサブフレームを表すＰＭＣＨを介して、複数のＭＢＳＦＮトランスポートチャンネル（マルチキャストチャンネル−ＭＣＨ）を伝送することができ、各ＭＣＨは、ＭＢＳＦＮサブフレームの個々に構成されるべき数のサブキャリアまたは個々に構築されるべき数の物理リソースブロックＰＲＢを含む。
【００３２】
サブブロックＭＣＨ１、ＭＣＨ２およびＭＣＨ３のサイズは、図３ではＭＢＳＦＮサブフレーム３０２内にサブブロックＭＣＨ１およびＭＣＨ２について示されているように、非整数の数のリソースブロック１００である。
【００３３】
本発明の他の実施例において、ＭＢＳＦＮチャンネルは、複数のサブフレームにわたって拡張されてもよい。
【００３４】
既存のＭＢＳＦＮの場合のように、ＭＢＳＦＮチャンネルの存在に関する情報は、ネットワークから端末に、たとえばいわゆるシステムインフォメーションメッセージの形で送信することができる。この情報は、個々のＰＭＣＨまたはＭＣＨの数、場所および構成を記載する情報を伝送するために拡張されることが好ましく、それにより、受信機（端末）は、その中に含まれるマルチプレックスを検出することができる。この場合、放送受信機は、一般に、受信機能だけを有し、送信機と接続するために、送信機能を有していないことが重要である。これは、どのように受信機がスイッチオン後に挙動し、受信機が放送チャンネルの構造を突き止めることができるかの結果である。
【００３５】
これについては、さらに図４以降を用いて詳細に説明する。
【００３６】
図４は、送信機が、一つのフレームの全てのＭＢＳＦＮサブフレームにおいて、マルチプレックスだけを送信する実施例を示す。図４では、六つのマルチプレックス４０１〜４０６が問題となり、これらのマルチプレックスの一つは、第一のＭＢＳＦＮサブフレーム内にデータ４０１の符号化されたブロックを有し、かつフレーム内の第二のＭＢＳＦＮサブフレーム内にデータのエンコードされたブロックも有する。さらに、第一の制御信号、いわゆるブロードキャストインフォメーションメッセージＢＩＭ（ＬＴＥ／ｘＧ標準仕様にはまだ記述されていない）は、物理的ＢＩＭチャンネルＰＢＩＭＣＨ４０７で伝送される。
【００３７】
この第一の制御信号ＢＩＭは、マルチプレックスのデータのエンコードされた複数のブロックが、ＭＢＳＦＮサブフレーム内のどこに存在するのかおよび／またはＭＢＳＦＮサブフレーム内のマルチプレックスのデータのエンコードされた複数のブロックのサイズを示す。図４は、第一の制御信号が、フレーム内のマルチプレックスのデータの複数のブロックの位置またはサイズを示す実施例を示す。
【００３８】
このＢＩＭチャンネルＰＢＩＭＣＨ４０７は、図４にも示すように、たとえばフレームの第一のＭＢＳＦＮサブフレームに含まれていてよい。このＰＢＩＭＣＨ４０７は、ＬＴＥ／５Ｇフレーム内で、一定数のリソースエレメントを伝送する。好ましくは、図４でも明らかなように、ＰＢＩＭＣＨチャンネル４０７は、ＬＴＥ／５Ｇチャンネルの中心周波数の周囲に存在するリソースエレメントにより形成される。
【００３９】
ブロードキャストインフォメーションメッセージＢＩＭのコンテンツは頻繁に変化しないことにより、ＰＢＩＭＣＨチャンネル４０７の容量利用は制限される。それにより、ＰＢＩＭＣＨチャンネル４０７の伝送のために各ＬＴＥ／ｘＧフレームの少しのもしくは一つのＯＦＤＭシンボルを必要とするだけである。好ましくは、このために、各ＬＴＥ／ｘＧフレームの第一のサブフレーム（サブフレーム番号ゼロ）の第一のＯＦＤＭシンボルが利用される。
【００４０】
図４Ａは、図４のＬＴＥ／ｘＧフレームと同様に見えるＬＴＥ／ｘＧフレームの実施例を示す。ここでも、フレームは、メディア放送サブフレーム（ＭＢＳＦＮまたはｅＭＢＭＳサブフレーム）だけを含む。このメディア放送サブフレーム内には、この実施例の場合に、一つまたは複数の放送情報信号の、符号４０１、４０２、４０３および４０４により示される四つだけのマルチプレックスを含む。これは、この場合に、メディア放送サブフレーム３〜１０は空いていることを意味する。ＢＩＭチャンネルＰＢＩＭＣＨは、ここでもフレームの第一のメディア放送サブフレーム内に含まれている。この第一の制御信号ＢＩＭは、四つの部分制御信号４０８、４１０、４１２および４１４を含むことが明らかである。これらの部分制御信号は、ＬＴＥ／ｘＧフレーム内のマルチプレックスのデータのエンコードされた複数のブロックの位置を参照する。たとえば、部分制御信号４０８は、マルチプレックスのエンコードされたブロック４０４の位置を、部分制御信号４１０は、エンドードされたブロック４０３の位置を、部分制御信号４１２は、エンコードされたブロック４０２の位置を、部分制御信号４１４は、エンコードされたブロック４０１の位置を参照し、このマルチプレックスは、この実施例において、２つのＭＢＳＦＮサブフレームに及ぶ。
【００４１】
図５には、ＬＴＥ／ｘＧフレームが、４つのＭＢＳＦＮサブフレームを含む実施例を示す。フレーム内の残りのサブフレームは、この実施例では、たとえばユニキャスト接続のような他の目的のために使用することができる。図５は、サブフレーム２、３、７及び８内にＭＢＳＦＮサブフレームを示す。図５の実施例では、４つのＭＢＳＦＮサブフレーム内で、六つのマルチプレックス５０１〜５０６のデータのエンコードされた複数のブロックが伝送される。ブロードキャストインフォメーションメッセージＢＩＭは、ここで物理的ＢＩＭチャンネルＰＢＩＭＣＨ５０７内で伝送される。この実施例では、また、ＢＩＭチャンネルＰＢＩＭＣＨ５０７は、有利に、ＬＴＥ／５Ｇチャンネルの中心周波数の周囲に存在するリソースエレメントにより形成され、また、有利にＰＢＩＭチャンネル５０７を伝送するために、第一のＭＢＳＦＮサブフレームの一つの第一のＯＦＤＭシンボルまたは複数の第一のＯＦＤＭシンボルが使用される。この実施例では、さらに、どのＭＢＳＦＮサブフレーム内にＢＩＭチャンネルＰＢＩＭＣＨ５０７が存在するのかを示すために、第二の制御信号のインジケーションＩＮＤが必要とされる。この第二の制御信号が放送伝送信号内のどこに格納されるのかについては、後に説明する。
【００４２】
今日のＬＴＥ／ｘＧ標準仕様の、たとえばＲｅｌ１３または１４によると、第一のサブフレームは、サブフレーム番号ゼロで、ＰＣＨ、ＳＣＨ、ＰＢＣＨ（物理ブロードキャストチャンネル）のようなシグナリングチャンネルを含む。ＰＤＣＣＨ（物理ダウンリンクコントロールチャンネル）、ＰＤＳＣＨ（物理ダウンリンクシェアドチャンネル）のような他のシグナリングチャンネルは、他のサブフレーム内に含まれていてよい。
【００４３】
この場合、ＰＢＣＨは、ＬＴＥフレーム内のどこにＰＤＣＣＨの物理的リソース（物理リソースブロック）が割り当てられているか、およびＰＤＣＣＨが、またＰＤＳＣＨの物理的リソースのどこに割り当てられているかを示す。ＰＢＣＨおよびＰＤＳＣＨを介して、無線セルの構成に関する情報（たとえばＭＩＢ、ＳＩＢ１およびＭＢＳＦＮについてはＳＩＢ２、ＳＩＢ１３および場合により新たなＳＩＢｘが、ＬＴＥ／５Ｇ端末に送信される。ＭＢＳＦＮ可能なＬＴＥ／ｘＧ端末が、ＭＢＳＦＮサブフレーム、ＰＢＩＭＣＨおよびそれによりマルチプレックスのデータのエンコードされた複数のブロックの位置の迅速な見つけ出しを可能にするために、システム情報ブロックのリスト内に上述の表示ＩＮＤを、たとえば実施例の図８および９の場合のような新たなＳＩＢｘメッセージの形で記録することが推奨される。
【００４４】
これについては、以下にさらに説明する。
【００４５】
以下に、特に図５による実施例のために、ＭＢＳＦＮサブフレーム内のＰＢＩＭＣＨの存在および位置をシグナリングするために、シグナリング（具体的にはシステム情報メッセージ）をどのように拡張することができるかを示す。この変形態様の場合には、このシグナリングは、新たなシステム情報ブロックｘ（ＳＩＢｘ）により行われる。このＳＩＢｘ（本発明による第二の制御信号）は、たとえば今までのＭＢＳＦＮのＳＩＢ２およびＳＩＢ１３の場合と同様に、ＭＢＳＦＮ用に構成されていないサブフレーム内で送信される。図４による実施例では、ＬＴＥフレームは、ＭＢＳＦＮサブフレームだけを含み、ＰＢＩＭＣＨの位置またはＬＴＥフレーム内でＰＢＩＭＣＨを突き止めるための手順は、（たとえば図４との関連ですでに上述したように）標準において明確に定義することができる。この場合、第二の制御信号は必要ない。
【００４６】
図６は、現在までＬＴＥ／ｘＧ標準仕様において定義されているような、送信機（Ｅ−ＵＴＲＡＮ＝進化したＵＭＴＳ地上波放送アクセスネットワーク）と受信機（ＵＥ＝ユーザー機器）との間のシグナリング手順を概略的に示す。特に、この場合、標準において定義されたシステム情報が問題である。受信機が必要とする特定のシステム情報は、特に、受信機ＵＥの受信特性に依存する。
【００４７】
ＭＢＭＳ（＝マルチメディアブロードキャストマルチキャストサービス）の場合、特定のシステム情報ブロック（ＳＩＢ）は標準化されている。
【００４８】
たとえば、
ＬＴＥ／４Ｇまたは５Ｇフレーム内に含まれている特定のＭＢＳＦＮサブフレームを特定するためのシステム情報ブロック２（ＳＩＢ２）。
【００４９】
システム情報ブロック１３（ＳＩＢ１３）によって、送信機は、ｅＭＢＭＳシステムのＭＣＣＨがどこに送られるかを通知する。
【００５０】
図７は、ＬＴＥ標準において定められているような、システム情報ブロックＳＩＢ２およびＳＩＢ１３の構造を示す。
【００５１】
更なる説明は必要ない、というのも図６および７との関連での上述のシグナリング方法は、ＬＴＥに関する文書において詳細に説明されているためである。
【００５２】
図９は、伝送ステップ９０１により拡張された、送信機（Ｅ−ＵＴＲＡＮ＝進化したＵＭＴＳ地上波放送アクセスネットワーク）と受信機（ＵＥ＝ユーザー機器）との間の図６のシグナリング手順を概略的に示し、この場合、さらにかつ本発明により、送信機は、受信機により受信されるシステムブロックＳＩＢｘを送信する。
【００５３】
図９Ａは、図９のＳＩＢ１において、使用されたシステム情報ブロックのリスト中に新たなＳＩＢｘメッセージの存在が、情報「ＳｉｂＸ−＜ｖｅｒ＞ＳｙｓｔｅｍＩｎｆｏｒｍａｔｉｏｎＢｌｏｃｋＴｙｐｅＸ−＜ｖｅｒ＞」の追加により受信機に通知されることが示される、図９Ａの符号９０２参照。
【００５４】
受信機がスイッチオンされかつ送信機からＬＴＥフレーム内でＭＢＳＦＮサブフレームもユニキャストサブフレームも送信される場合（図１、２、３および５）、受信機は、ＰＢＣＨ、ＰＤＣＣＨおよびＰＤＳＣＨを介して特別な本発明によるシステム情報ＳＩＢｘ（第二の制御信号）を見つけるために、ＬＴＥ／５Ｇにおいて公知の同期のための手順（ＰＳＳ−一次同期信号、ＳＳＳ−二次同期信号）を実行する。
【００５５】
システム情報ＳＩＢｘおよび他のシステム情報から、受信機は、図５の実施例の場合に、ＬＴＥフレーム内のどこにＭＢＳＦＮサブフレームが存在するのか、および特にＰＢＩＭＣＨが、ＭＢＳＦＮサブフレーム内のどこに存在するのかを読み取る。ＰＢＩＭＣＨ情報から、受信機は、ＭＢＳＦＮサブフレーム上のどこに、放送情報信号のマルチプレックスのエンコードされた複数のブロックを含むそれぞれの、場合によるＳＦＮエリア特有のＭＢＳＦＮチャンネルが存在するのかを読み取る。それにより、受信機は、図５の実施例の場合に、たとえば放送伝送信号からマルチプレックスを導出し、マルチプレックスからテレビ番組またはラジオ番組を導出し、出力部に出力することができる。
【００５６】
ユニキャストしか対応しないため、したがってＭＢＳＦＮサブフレームをデコードできない携帯電話は、ＭＢＳＦＮサブフレームの存在により影響を受けない。この携帯電話は、ＰＢＣＨ、ＰＤＣＣＨおよびＰＤＳＣＨを用いて送信されたシステム情報ＳＩＢｘを無視する。この携帯電話は、ユニキャスト接続用のＭＢＳＦＮサブフレームとして構成されていないサブフレームを利用する。
【００５７】
図４および図４Ａの実施例の場合のように、ＬＴＥフレームの全てのサブフレームが、ＭＢＳＦＮサブフレームとして構成されている場合、ＬＴＥフレーム内にＰＢＣＨ、ＰＤＣＣＨ、ＰＤＳＣＨなども存在しない。この場合を、受信機は、このＬＴＥフレーム内にＰＢＣＨが存在しないことで識別する。この場合でかつスイッチオンの後に、受信機は、確かに同期手順も実行する（ＰＳＳ−一次同期信号、ＳＳＳ−に自動機信号）。しかしながら、受信機がＬＴＥフレームに同期した後に（つまり、時間状況およびサブフレーム番号付けは受信機に知られている）、受信機は即座にＰＢＩＭＣＨ（第一の制御信号）をデコードし、受信機は、ＭＢＳＦＮサブフレーム上のどこに、放送情報信号のマルチプレックスを含むそれぞれの、場合によりＳＦＮエリア特有のＭＢＳＦＮチャンネルが存在するのかをＰＢＩＭＣＨ情報から読み取る。
【００５８】
ＭＢＳＦＮまたはｅＭＢＭＳ機能を持たない受信機または端末、つまりＭＢＳＦＮ非対応のモバイル機器またはスマートフォンは、図４による伝送信号を処理することはできない。しかしながら、ＭＢＳＦＮ（またはｅＭＢＭＳ）を受信可能な受信機は、ＰＢＩＭＣＨチャンネル４０７の検出のために検索手順が実行され、そこからＢＩＭ情報を抽出する。受信機が、ＢＩＭ情報を見つけた場合、受信機は、ＰＭＣＨ構造およびＭＢＳＦＮ／ｅＭＢＭＳサブフレーム内の多様なＭＢＳＦＮ（またはｅＭＢＭＳ）チャンネルの位置を認識する。次いで、受信機は、所望のＭＢＳＦＮチャンネル（マルチプレックス）を抽出してデコードし、こうして得られたビデオデータストリームおよび／またはオーディオデータストリームを出力することができる。
【００５９】
現在の放送適用のために、放送番組の伝送されるべきマルチプレックスの数およびモード、ならびにそれによるＰＭＣＨの構造は、まれにしか変化しないことを予想することができる。新しサービスおよびアプリケーションの導入に伴い、これは将来的に変更されることがある。したがって、受信機は、規則的にＰＢＩＭＣＨ情報を読み取り、ＰＭＣＨ構造およびプログラムのコンテンツの変更を確認することが必要である。
【００６０】
本発明による放送伝送のこの方法は、今までに詳しく述べかつ標準化されたＭＢＳＦＮとは本質的に異なる。
【００６１】
図１０は、本発明による送信機１０００の実施例を概略的に示す。ＯＦＤＭに基づく送信機１０００は、上述のように、伝送媒体を介して放送情報信号の多数の少なくとも二つのマルチプレックスをＭＢＳＦＮ放送伝送モードで伝送するように設定されている。図１０は、送信機１０００が、放送情報信号の二つのマルチプレックスを伝送する実施例を示す。
【００６２】
このために、送信機は、放送情報信号Ｓ１とＳ２のそれぞれの少なくとも二つのマルチプレックスを受信するための入力部（部分入力部１００２および１００４）を備える。送信機は、放送情報信号Ｓ１とＳ２のそれぞれのマルチプレックスをエンコードするための二つの部分エンコードユニット１００６および１００８を有するエンコードユニット１０１０を備える。したがって、エンコードユニット１０１０は、二つの部分エンコードユニットから構成されている、というのも各部分エンコードユニット１００６および１００８は、マルチプレックスＭ１とＭ２のそれぞれのデータの複数のブロックを個別にエンコードして、したがって個別にデコード可能でもあるデータのエンコードされた複数のブロックにする。送信機１０００は、さらにマルチプレクサユニット１０１２を備え、このマルチプレクサユニットは、図２〜５に基づきすでに説明したように、放送伝送信号ＳｏｕｔのＭＢＳＦＮサブフレーム内に二つのマルチプレックスのデータのエンコードされた複数のブロックを記録するように設定されている。このように得られた放送伝送信号Ｓｏｕｔは、出力部１０１４から提供される。
【００６３】
送信機１０００は、さらに、第一の制御信号ＢＩＭを生成するために制御信号生成ユニット１０１６を備える。この制御信号ＢＩＭは、二つのマルチプレックスのデータのエンコードされた複数のブロックのサイズについての尺度および／または二つのマルチプレックスのデータのエンコードされた複数のブロックがＭＢＳＦＮサブフレーム内のどこに含まれているかを示す位置についての尺度である。この制御信号ＢＩＭは、同様に、マルチプレクサユニット１０１２にも提供され、マルチプレクサユニット１０１２は、このためにこの制御信号ＢＩＭを放送伝送信号内に記録するように手配する。ＯＦＤＭシステムの場合には、マルチプレクサユニットは、とりわけ、エンコードされた複数のブロックと共にＩＦＦＴも実行する。こうして得られた放送伝送信号Ｓｏｕｔは、出力部１０１４に提供され、その後に送信される。
【００６４】
送信機１０００が、一つまたは複数のＭＢＳＦＮサブフレームを含むＬＴＥフレームを伝送するためのＬＴＥまたはｘＧ（ｘは４以上）互換送信機である場合、制御信号ＢＩＭは、二つのマルチプレックスのデータのエンコードされた複数のブロックについてのサイズの尺度および／または二つのマルチプレックスのデータのエンコードされた複数のブロックがＬＴＥ／ｘＧフレーム内のＭＢＳＦＮサブフレーム内のどこに記録されているかを示す位置についての尺度であり、マルチプレクサユニット１０１２は、このＬＴＥ／ｘＧフレーム内に制御信号ＢＩＭを格納するように設定されている。好ましくは、この場合、制御信号ＢＩＭは、ＬＴＥ／ｘＧフレームの第一のＭＢＳＦＮサブフレーム内に格納される。
【００６５】
マルチプレクサユニット１０１２は、さらに、図４および図５にも示されるように、ＬＴＥ／ｘＧチャンネルの中心周波数の周囲で、スペクトル的に隣接するリソースブロック内に制御信号ＢＩＭを格納するように設定されていてよい。
【００６６】
ＬＴＥフレームが非ＭＢＳＦＮサブフレームも含む場合（図５の実施例）、制御信号生成ユニット１０１６は、さらに、第二の制御信号ＩＮＤを生成するように設定されている。すでに上述したように、第二の制御信号ＩＮＤは、ＬＴＥ／ｘＧフレーム内の第一の制御信号ＢＩＭの位置についての尺度である。この制御信号ＩＮＤは、マルチプレクサユニット１０１２に提供され、マルチプレクサユニット１０１２は、この制御信号ＩＮＤを非ＭＢＳＦＮサブフレーム内のシグナリングチャンネル内に記録することを手配する。好ましくは、マルチプレクサユニット１０１２は、第二の制御信号ＩＮＤをＬＴＥフレームのＰＢＣＨ情報内に格納する。
【００６７】
図１１は、本発明による受信機１１００の実施例を示す。ＯＦＤＭに基づく受信機１１００は、上述のように、図１０の送信機から伝送されたような放送伝送信号Ｓｏｕｔを、ＭＢＳＦＮ受信モードで受信するように設定されている。
【００６８】
受信機１１００は、放送伝送信号Ｓｏｕｔの受信のための入力部１１０２を備え、かつマルチプレックス（Ｍ１またはＭ２）のデータのエンコードされたブロックをデコードしてマルチプレックス（Ｍ１またはＭ２）のデータのデコードされたブロックを得るためのデコーダユニット１１０６を備える。このマルチプレックスは、一つまたは複数の放送情報信号を含む。受信機１１０のユーザがマルチプレックスからどの放送情報信号を受信しようとするかに依存して、デコーダユニット１１０６は、さらにマルチプレックスから一つの放送情報信号を選択し、この放送情報信号を出力部１１０８に引き渡す。
【００６９】
マルチプレックス（Ｍ１またはＭ２）のデータのエンコードされた複数のブロックは、抽出ユニット１１１４により、放送伝送信号内のＭＢＳＦＮサブフレームから導出される。さらに、抽出ユニット１１１４と一緒にデマルチプレクサユニット１１０４を形成するＩＮＤ  ＤＥＴＥＣＴユニット１１１０と、ＢＩＭ  ＤＥＴＥＣＴユニット１１１２も予定されている。
【００７０】
ＬＴＥフレームが非ＭＢＳＦＮサブフレームも含む場合（図５の実施例）、ＩＮＤ  ＤＥＴＥＣＴユニット１１１０は、伝送信号Ｓｏｕｔから、ＳＩＢｘブロック内に格納されているような第二の制御信号ＩＮＤを導出する。これは、ＬＴＥフレーム内のどこにＰＢＩＭＣＨが存在するかを示す情報であり、この情報（つまり第二の制御信号）は、ＢＩＭ  ＤＥＴＥＣＴユニット１１１２に転送されることを意味する。次いで、ＢＩＭ  ＤＥＴＥＣＴユニット１１１２は、伝送信号ＳｏｕｔからＰＢＩＭＣＨ情報（つまり第一の制御信号）を導出する。この第一の制御信号は、上述のように、ＭＢＳＦＮサブフレーム内の放送情報信号（＝ＭＢＳＦＮチャンネル）のマルチプレクサのエンコードされた複数のブロックの位置および／またはサイズについて表す。この第一の制御信号は、抽出ユニット１１１４に送られ、この抽出ユニットは、放送伝送信号Ｓｏｕｔからマルチプレックスのデータのエンコードされた複数のブロックを抽出し、かつこのブロックをデコーダユニット１１０６に提供するために、この第一の制御信号を利用する。
【００７１】
ＬＴＥフレームが、ＭＢＳＦＮサブフレームだけを含み（実施例４および４Ａ）、したがってＳＩＢｘ情報（第二の制御信号）は抽出されない／受信可能でない場合、ＩＮＤ検出ユニット１１０４はスイッチオフされる。ＢＩＭ  ＤＥＴＥＣＴユニット１１１２は、この場合、ＭＢＳＦＮサブフレーム内の標準化された位置に見つけることができるＰＢＩＭＣＨ情報（第一の制御信号ＢＩＭ）を、伝送信号Ｓｏｕｔから導出する。このＰＢＩＭＣＨ情報は、第一の制御信号として抽出ユニット１１１４に供給され、この抽出ユニットは、すでに上述したように、放送伝送信号Ｓｏｕｔから一つまたは複数の放送情報信号のマルチプレックスのデータのエンコードされた複数のブロックを抽出し、かつデコーダユニット１１０６に供給するために、この情報を利用する。
【００７２】
受信機内では、所望の場合に、複数の放送情報信号を受信し、出力部１１０８に出力することもできる。
【００７３】
すでに上述のように、メディア放送サブフレーム内に格納されているマルチプレックスのデータのエンコードされた複数のブロックは、それぞれ個別にアクセス可能である。受信機は、この場合、メディア放送サブフレーム内に格納されているデータのエンコードされた複数のブロックの一つに個別にアクセスし、かつメディア放送サブフレームからデータのこの一つのブロックを導出するように設定されている。
【００７４】
ここでさらに、本発明は、ここに示されかつ論じされた実施例だけに限定されないことに言及する。本発明の保護範囲は、特許請求の範囲によってのみ定義されている。たとえば、一つまたは複数の放送情報信号の二つ以上のマルチプレックスのエンコードされた複数のブロックが、一つのサブフレーム内に記録されてもよい。送信機および受信機の記載された全ての機能は、ハードウェアまたはソフトウェアで実現することができる。
【図１】
2021510474.tif 000003
【図２】
2021510474.tif 000004
【図３】
2021510474.tif 000005
【図４】
2021510474.tif 000006
【図４Ａ】
2021510474.tif 000007
【図５】
2021510474.tif 000008
【図６】
2021510474.tif 000009
【図７】
2021510474.tif 000010
【図８】
2021510474.tif 000011
【図９】
2021510474.tif 000012
【図９Ａ】
2021510474.tif 000013
【図１０】
2021510474.tif 000014
【図１１】
2021510474.tif 000015
【国際調査報告】
2021510474.tif 000016
2021510474.tif 000017
2021510474.tif 000018
2021510474.tif 000019